(57)【要約】【課題】硬化したコンクリートからコンクリート型枠を容易に離型することができるコンクリート型枠の離型具を提供する。【解決手段】離型具２１は、四角柱状をなす柄部２２と、同柄部２２の先端に設けられて平面視略Ｕ字状（二股状）をなすベース部２３とを有している。同ベース部２３の先端部の一方には、隣接する一方のコンクリート型枠のリブに係合可能な係合部２５が設けられており、他方には隣接する他方のコンクリート型枠の型枠板に当接可能な当接部２６が設けられている。【選択図】図２
2007113203.tif 000002
【特許請求の範囲】
【請求項１】
複数並設され、端部に断面Ｌ字状のリブが形成されたコンクリート型枠を、硬化したコンクリートから離型するための離型具であって、
同離型具は、柄部と、
同柄部の先端に設けられ、前記コンクリート型枠のリブに係合可能な係合部と、
前記コンクリート型枠に隣接する別のコンクリート型枠の型枠板、又は前記硬化したコンクリートの側面に当接可能な当接部とを有することを特徴とするコンクリート型枠の離型具。
【請求項２】
前記係合部は前記リブに対して面接触し、前記当接部は前記型枠板、又は前記硬化したコンクリートの側面に対して面接触してなることを特徴とする請求項１に記載のコンクリート型枠の離型具。
【請求項３】
前記係合部及び前記当接部は、回動自在に設けられてなることを特徴とする請求項１又は請求項２に記載のコンクリート型枠の離型具。
【請求項４】
前記係合部と前記当接部とは、前記柄部の中心部を通り前記柄部の延設方向に延びる仮想線を基準として、同仮想線に直交する方向に対称に配置されていることを特徴とする請求項１〜請求項３のいずれか一項に記載のコンクリート型枠の離型具。
【発明の詳細な説明】
【技術分野】
【０００１】
本発明は、布基礎コンクリートが硬化した後に同布基礎コンクリートからコンクリート型枠を離型するために用いられるコンクリート型枠の離型具に関するものである。
【背景技術】
【０００２】
従来より、コンクリート型枠を用いた布基礎コンクリートの施工は、以下のようにして行われる（例えば、特許文献１参照）。すなわち、布基礎コンクリートを施工する際には、まず、ベース部コンクリートの表面上に間隔保持具を設置し、各外側位置規制片と内側位置規制片との間に形成される型枠支持部にコンクリート型枠の下端部を嵌め込むとともに、同コンクリート型枠の上端部に、裏返した別の間隔保持具の型枠支持部を嵌め込む。これにより、相対向する一対のコンクリート型枠が上下の間隔保持具によって所定の間隔に保持される。その後、相対向するコンクリート型枠の間にコンクリートを流し込んで布基礎コンクリートを打設し、コンクリートが硬化した後に上側の間隔保持具とコンクリート型枠を取り外す。
【特許文献１】特開平９−４２２５号公報
【発明の開示】
【発明が解決しようとする課題】
【０００３】
ところで、コンクリートが硬化した後にコンクリート型枠を取り外す際には、通常、コンクリートと型枠との対向面間に例えばバール等を挿入し、梃子の原理を利用して両者を引き離す。これにより、硬化したコンクリートからコンクリート型枠が引き剥がされる。しかしながら、このような作業においては、コンクリートと型枠との対向面間へのバール等の挿入に際して相当の力を要するうえ、型枠を引き剥がす際にもバール等に対して相当の力を加える必要がある。その際、バール等に対して相当の力を繰り返し加えなければ型枠を引き剥がすことが困難であることも少なくない。したがって、上記従来の方法においては、硬化したコンクリートからコンクリート型枠を引き剥がすまでに多大な労力と時間を要し、作業者に過剰な負担をかけるといった問題があった。
【０００４】
この発明は、こうした従来の実情に鑑みてなされたものであり、その目的は、硬化したコンクリートからコンクリート型枠を容易に離型することができるコンクリート型枠の離型具を提供することにある。
【課題を解決するための手段】
【０００５】
上記の目的を達成するために、請求項１に記載の発明のコンクリート型枠の離型具は、複数並設され、端部に断面Ｌ字状のリブが形成されたコンクリート型枠を、硬化したコンクリートから離型するための離型具であって、同離型具は、柄部と、同柄部の先端に設けられ、前記コンクリート型枠のリブに係合可能な係合部と、前記コンクリート型枠に隣接する別のコンクリート型枠の型枠板、又は前記硬化したコンクリートの側面に当接可能な当接部とを有することを要旨とする。
【０００６】
上記構成によれば、硬化したコンクリートからコンクリート型枠を離型する場合、まずコンクリート型枠のリブに係合部を係合させるとともに、そのコンクリート型枠に隣接する別のコンクリート型枠の型枠板、又は硬化したコンクリートの側面に当接部を当接させる。そして、この状態で、係合部を作業者側へ引き寄せるように柄部を回動操作して、前記リブに対する係合部の係合を強める。その際、離型具の当接部は、隣接する別のコンクリート型枠の型枠板、又はコンクリートの側面に当接（押圧）されていることから、同当接部を支点とした梃子の原理により、係合部とリブとの係合が容易に強められる。すなわち、同コンクリート型枠に対し、前記コンクリートから離間する方向への力を加えやすくなる。したがって、本発明の離型具においては、コンクリート型枠のリブに係合部が係合された状態で同係合部を引き寄せるといった単純な操作により、硬化したコンクリートからコンクリート型枠を容易に離型することが可能となる。
【０００７】
請求項２に記載の発明のコンクリート型枠の離型具は、請求項１に記載の発明において、前記係合部は前記リブに対して面接触し、前記当接部は前記型枠板、又は前記硬化したコンクリートの側面に対して面接触してなることを要旨とする。
【０００８】
上記構成によれば、係合部とリブ、及び当接部と型枠板（硬化したコンクリートの側面）の双方がそれぞれ点接触する構成と比較して、リブに対する係合部の係合面積、及び型枠板（硬化したコンクリートの側面）に対する当接部の当接面積が増大する。すなわち、梃子の原理における支点を構成する当接部の面積、及び作用点を構成する係合部の面積が充分に確保されている。したがって、型枠板（硬化したコンクリートの側面）に対する当接部の面接触により離型具が安定に支持されるうえ、リブに対する係合部の面接触により双方の係合が容易に強められる可能性がある。その結果、硬化したコンクリートから型枠を離型することが一層容易となる。
【０００９】
請求項３に記載の発明のコンクリート型枠の離型具は、請求項１又は請求項２に記載の発明において、前記係合部及び前記当接部は、回動自在に設けられてなることを要旨とする。
【００１０】
上記構成によれば、係合部及び当接部は回動自在とされていることから、硬化したコンクリートからコンクリート型枠を離型するに際して柄部を操作する場合には、係合部及び当接部に対する同柄部の相対回動が可能となる。すなわち、係合部がリブに係合されるとともに当接部が型枠板（硬化したコンクリートの側面）に当接された状態を維持しつつ、柄部のみを回動操作することが可能となるのである。したがって、本発明の離型具によれば、柄部の回動操作に伴って、係合部及び当接部がそれぞれリブ及び型枠板（硬化したコンクリートの側面）から離間することがなく、リブに対する係合部の面接触（係合）及び型枠板（硬化したコンクリートの側面）に対する当接部の面接触（当接）が確実に維持されるようになる。その結果、コンクリート型枠の離型作業に際しては、型枠板（硬化したコンクリートの側面）に対する当接部の面接触により離型具が安定に支持されるうえ、リブに対する係合部の面接触により双方の係合が確実に強められてリブに対する押圧力が増大する。これにより、硬化したコンクリートからコンクリート型枠を、少ない力で容易且つ迅速に離型することが可能となる。
【００１１】
請求項４に記載の発明のコンクリート型枠の離型具は、請求項１〜請求項３のいずれか一項に記載の発明において、前記係合部と前記当接部とは、前記柄部の中心部を通り前記柄部の延設方向に延びる仮想線を基準として、同仮想線に直交する方向に対称に配置されていることを要旨とする。
【００１２】
上記構成によれば、係合部と当接部とが、柄部の幅方向における中心部を通る仮想線を基準として対称に配置されていることから、硬化したコンクリートからコンクリート型枠を離型する際には、型枠板（硬化したコンクリートの側面）に対する当接部の押圧力と、リブに対する係合部の押圧力との好適なバランスが保たれるようになる。したがって、本発明においては、コンクリート型枠に対して力を加えた際に離型具のバランスが崩れてリブに対する係合部の係合、及び型枠板（硬化したコンクリートの側面）に対する当接部の当接が解除されるといった不都合が回避される。これにより、硬化したコンクリートからコンクリート型枠をスムーズに離型することが可能となる。
【発明の効果】
【００１３】
本発明のコンクリート型枠の離型具によれば、硬化したコンクリートからコンクリート型枠を容易に離型することができる。
【発明を実施するための最良の形態】
【００１４】
以下、本発明を、例えば硬化した布基礎コンクリートからコンクリート型枠を離型させる、コンクリート型枠の離型具に具体化した一実施形態を図面に基づいて説明する。まず、離型具の離型対象であるコンクリート型枠の概略について説明する。
【００１５】
図１に示すように、コンクリート型枠１１は、四角板状をなして布基礎コンクリートＣ１の側面を構成する型枠板１２と、同型枠板１２の側縁に立設されてなる４つの側壁とを備えている。これら各側壁のうち、型枠板１２の上縁に立設されてなる側壁（上側壁１３）は断面Ｌ字状に形成されており、コンクリート型枠１１を離型する際には後述する離型具２１の係合部２５が係合するリブ１３として機能する。
【００１６】
布基礎コンクリートＣ１を形成する際には、まず、上記コンクリート型枠１１を複数並設して型枠群１５Ａを配設する。なお、その際、隣り合うコンクリート型枠１１，１１の側壁１６，１６同士は図示しないボルト等で連結されている。次いで、ここで形成された型枠群１５Ａに相対向するように別の型枠群１５Ｂを配設する。そして、これら型枠群１５Ａ，１５Ｂの間にコンクリートを流し込んで同コンクリートを硬化させることにより布基礎コンクリートＣ１が形成される。
【００１７】
次に、本実施形態の離型具２１について説明する。
離型具２１は、布基礎コンクリートＣ１を形成した後に、同布基礎コンクリートＣ１からコンクリート型枠１１を離型するために使用されるものであり、図２に示すように、本実施形態の離型具２１は、四角柱状をなす柄部２２と、同柄部２２の先端に設けられて平面視略Ｕ字状（二股状）をなすベース部２３とを有している。
【００１８】
離型具２１のベース部２３の先端部の一方には、隣接する一方のコンクリート型枠１１（１１Ａ）のリブ１３に係合可能な係合部２５が設けられており、他方には隣接する他方のコンクリート型枠１１（１１Ｂ）の型枠板１２に当接可能な当接部２６が設けられている。図３に示すように、これら係合部２５と当接部２６とは、柄部２２の幅方向ｄにおける中心部Ｃを通り同柄部２２の延設方向Ｐに延びる仮想線Ｋを基準として、同仮想線Ｋに直交する方向Ｑに対称に配置されている。すなわち、係合部２５と当接部２６とは、前記仮想線Ｋから同一距離Ｒとなる箇所にそれぞれ設けられている。
【００１９】
なお、本実施形態では、係合部２５と当接部２６とは仮想線Ｋに対して対称形状に構成されており、係合部２５及び当接部２６はそれぞれの他方の機能も兼ね備えている。すなわち、係合部２５は当接部としての、また当接部２６は係合部としての機能を備えている。したがって、一方が係合部として機能する場合には他方は当接部として機能することとなる。以下においては、図２にて左方（手前側）に位置する係合部２５の構成についてのみ詳細に説明することとする。
【００２０】
図２及び図３に示すように、係合部２５は四角柱状に形成されており、その略中央部には挿通孔２８が円孔状に穿設されている。そして、この挿通孔２８には、基端部が前記ベース部２３の先端部にかしめ着けされた第１ピン２９が遊嵌されており、係合部２５は第１ピン２９を軸芯として回動可能となっている。また、挿通孔２８よりも内側（右方、当接部２６側）には、略弧状をなすガイド孔３０が穿設されている。そして、このガイド孔３０には第２ピン３１が摺動可能に嵌挿されており、同第２ピン３１の基端部は前記ベース部２３の先端部にかしめ着けされている。これにより係合部２５は、第２ピン３１がガイド孔３０を摺動することで回動可能に構成されている。すなわち、同係合部２５は、ベース部２３（柄部２２）に対して相対回動できるように構成されている。なお、不使用時の離型具２１においては、ガイド孔３０の略中央に第２ピン３１が配置されている。
【００２１】
図３に示すように、係合部２５の回動角度θ、すなわち、ガイド孔３０の略中央に配置された第２ピン３１の中心３１ａと第１ピン２９の中心２９ａとを通る仮想線５１と、ガイド孔３０の端部に配置された第２ピン３１（鎖線部）の中心３１ｂと第１ピン２９の中心２９ａとを通る仮想線５２とのなす角度θは、２０〜５０°であることが好ましい。これによれば、コンクリート型枠１１を離型するに際し、リブ１３に対する係合部２５の面接触、及び型枠板１２に対する当接部２６の面接触の双方を維持することが可能となる。なお、係合部２５の回動角度θは、コンクリート型枠１１のリブ１３の大きさに応じて適宜変更されるものである。
【００２２】
また、図２に示すように、前記仮想線Ｋに直交する方向Ｑにおける、ベース部２３の略中央には、断面Ｌ字状をなす係止部３３が上方に向けて突設されている。この係止部３３は、コンクリート型枠１１のリブ１３に対して係止可能とされており、同リブ１３に対して係合部２５を係合させる際に離型具２１を支持する機能を有している。
【００２３】
次に、離型具２１の作用について説明する。
硬化した布基礎コンクリートＣ１からコンクリート型枠１１を離型する場合、まず、隣接する一対のコンクリート型枠１１Ａ，１１Ｂの境界部分にベース部２３を近づけ、図４に示すように、リブ１３に対して上方から係止部３３を係止させる。そして、この状態で柄部２２を上方へ持ち上げ、図３に示すように、一方のコンクリート型枠１１Ａのリブ１３に対して係合部２５の側面２５ａを係合させるとともに、他方のコンクリート型枠１１Ｂの型枠板１２に当接部２６の側面２６ａを当接させる。
【００２４】
次に、係合部２５を作業者側Ｓへ引き寄せるように柄部２２を矢印４１方向へ回動操作する。すると、離型具２１の当接部２６（側面２６ａ）は他方のコンクリート型枠１１Ｂの型枠板１２を矢印４３方向へ押圧し、係合部２５（側面２５ａ）はリブ１３を矢印４２方向へ押圧する。すなわち、当接部２６（側面２６ａ）を支点とした梃子の原理により、係合部２５はリブ１３を介して型枠板１２を布基礎コンクリートＣ１から離間させる。その際、本実施形態では、ベース部２３（柄部２２）に対して係合部２５及び当接部２６の双方が回動自在に構成されている。このため、図５に示すように柄部２２の回動操作に伴って係合部２５及び当接部２６がそれぞれ回動し、型枠板１２に対する当接部２６、及びリブ１３に対する係合部２５がそれぞれ面接触した状態が維持されることとなる。そして、一方のコンクリート型枠１１Ａが布基礎コンクリートＣ１から完全に離型するまで、同一方のコンクリート型枠１１Ａのリブ１３に対して係合部２５を押圧し続ける。
【００２５】
このようにして一方のコンクリート型枠１１Ａが布基礎コンクリートＣ１から完全に離型した後、同様の操作を隣接する各一対のコンクリート型枠に対してそれぞれ行うことによって、布基礎コンクリートＣ１から全てのコンクリート型枠１１を離型することができる。
【００２６】
前記の実施形態によって発揮される効果について、以下に記載する。
（１）  本実施形態の離型具２１には、係合部２５と当接部２６とが設けられている。そして、隣接する一方のコンクリート型枠１１Ａのリブ１３に係合部２５を係合させるとともに他方のコンクリート型枠１１Ｂの型枠板１２に当接部２６を当接させた状態で、係合部２５を作業者側Ｓへ引き寄せるように柄部２２を回動操作するといった単純な作業により、布基礎コンクリートＣ１から型枠１１Ａを容易に離型することができる。
【００２７】
（２）  係合部２５及び当接部２６は回動自在とされていることから、硬化した布基礎コンクリートＣ１からコンクリート型枠１１を離型するに際して柄部２２を操作する場合には、係合部２５及び当接部２６に対する同柄部２２の相対回動が可能となる。すなわち、本実施形態の離型具２１によれば、柄部２２の回動操作に伴って、係合部２５及び当接部２６がそれぞれリブ１３及び型枠板１２から離間することがなく、リブ１３に対する係合部２５の面接触及び型枠板１２に対する当接部２６の面接触が確実に維持されるようになる。その結果、硬化した布基礎コンクリートＣ１からコンクリート型枠１１を、少ない力で容易且つ迅速に離型することができる。
【００２８】
（３）  本実施形態では、係合部２５と当接部２６とが、柄部２２の中心部Ｃを通る仮想線Ｋを基準として対称に配置されていることから、布基礎コンクリートＣ１からコンクリート型枠１１を離型する際には、型枠板１２に対する当接部２６の押圧力と、リブ１３に対する係合部２５の押圧力との好適なバランスが保たれるようになる。したがって、本実施形態においては、コンクリート型枠１１を離型するためにコンクリート型枠１１に対して所定の力を加えた際の離型具２１のバランスが充分に保たれ、コンクリート型枠１１の離型作業が一層スムーズなものとなる。
【００２９】
（４）  本実施形態では、離型具２１の係止部３３がリブ１３に係止されることで同離型具２１がコンクリート型枠１１に対して安定に支持された状態で、離型具２１の係合部２５をリブ１３に係合させることができる。その結果、リブ１３に対する係合部２５の係合操作が容易なものとなり、同係合部２５をコンクリート型枠１１のリブ１３に係合させる際の負担を軽減することができる。
【００３０】
（５）  係合部２５及び当接部２６の回動角度θは２０〜５０°であることが好ましい。この場合、コンクリート型枠１１を離型するに際し、リブ１３に対する係合部２５の面接触、及び型枠板１２に対する当接部２６の面接触の双方を確実に維持することができ、コンクリート型枠１１の離型作業が一層容易なものとなる。
【００３１】
なお、本実施形態は、次のように変更して具体化することも可能である。
・  係合部２５と当接部２６とは、前記仮想線Ｋから同一距離Ｒとなる箇所にそれぞれ設けられたが、前記仮想線Ｋからの距離が互いに異なるように係合部２５及び当接部２６をそれぞれ設ける構成を採用してもよい。
【００３２】
・  係合部２５及び当接部２６はそれぞれ回動自在に設けられたが、これら係合部２５及び当接部２６は回動不能に設けられてもよい。この場合、係合部２５及び当接部２６のそれぞれにおいて、ガイド孔３０及び第２ピン３１が省略されることから、離型具２１の構成の簡略化を図ることができる。
【００３３】
・  係合部２５及び当接部２６は、それぞれリブ１３及び型枠板１２に対して面接触されるのであれば、それらの形状は特に限定されるものではない。例えば、係合部２５及び当接部２６を、それぞれ平面視三角形状（図６（ａ）参照）、平面視五角形状等に変更してもよい。
【００３４】
・  係合部２５及び当接部２６は、それぞれリブ１３及び型枠板１２に対して面接触されるように構成されたが、硬化した布基礎コンクリートＣ１からのコンクリート型枠１１の離型が可能であるならば、係合部２５及び当接部２６は、それぞれリブ１３及び型枠板１２に対して線接触されるように構成されてもよい。この場合、図６（ｂ）に示すように、係合部２５及び当接部２６をそれぞれ平面視円形状に構成することが好ましい。これによれば、係合部２５及び当接部２６の回動角度を調整する必要がない。すなわち、ガイド孔３０及び第２ピン３１が省略されて構成の簡略化を図ることができる。
【００３５】
・  係止部３３は省略されてもよい。この場合、離型具２１の構成の簡略化を図ることができる。
・  本実施形態では、隣接する一方のコンクリート型枠１１Ａのリブ１３に対して係合部２５の側面２５ａを係合させるとともに、他方のコンクリート型枠１１Ｂの型枠板１２に当接部２６の側面２６ａを当接させて、同コンクリート型枠１１Ａを離型するといった方法が採用された。しかしながら、同コンクリート型枠の離型方法はこれに限定されるものではない。例えば、任意のコンクリート型枠のリブ１３に対して係合部２５の側面２５ａを係合させるとともに、硬化した布基礎コンクリートＣ１の側面に当接部２６の側面２６ａを当接させて、同コンクリート型枠を離型する方法を採用してもよい。
【００３６】
・  本実施形態では、隣接する一対のコンクリート型枠１１Ａ，１１Ｂのうち一方のコンクリート型枠１１Ａのみを完全に離型した後に、別のコンクリート型枠の離型作業を行う方法が採用された。しかしながら、各コンクリート型枠の離型方法はこれに限定されるものではない。例えば、係合部２５の押圧により一方のコンクリート型枠１１Ａが布基礎コンクリートＣ１から部分的に離型した後、図５における矢印４４方向に柄部２２を回動させることで、他方のコンクリート型枠１１Ｂのリブ１３に対して当接部２６の側面２６ｂ（当接面とは反対側に位置する側面）を押圧する。すると、同リブ１３に対する当接部２６（側面２６ｂ）の押圧により同他方のコンクリート型枠１１Ｂを布基礎コンクリートＣ１から部分的に離型させる。次いで、これら一対のコンクリート型枠１１Ａ，１１Ｂを布基礎コンクリートＣ１から完全に離型させる。
【００３７】
・  本実施形態では柄部２２を四角柱状に形成したが、その形状は特に限定されるものではない。すなわち、作業者が把持することができるのであれば、三角柱状や六角柱状であってもよく、或いは筒状であってもよい。
【００３８】
さらに、前記実施形態より把握できる技術的思想について以下に記載する。
・  前記係合部及び前記当接部の回動角度θは、２０〜５０°であることを特徴とするコンクリート型枠の離型具。このように構成した場合、リブに対する係合部の面接触、及び型枠板に対する当接部の面接触を確実に維持することができる。
【図面の簡単な説明】
【００３９】
【図１】布基礎コンクリートを施工した状態を示す斜視図。
【図２】本実施形態の離型具を示す部分拡大斜視図。
【図３】同離型具を示す部分拡大平面図。
【図４】コンクリート型枠を離型する際の離型具を示す部分拡大斜視図。
【図５】コンクリート型枠を離型する際の離型具を示す部分拡大平面図。
【図６】（ａ）及び（ｂ）は別例の離型具を示す部分拡大平面図。
【符号の説明】
【００４０】
１１…コンクリート型枠、１２…型枠板、１３…リブ、２１…離型具、２２…柄部、２５…係合部、２６…当接部、Ｃ１…布基礎コンクリート、Ｃ…中心部、Ｐ…柄部の延設方向、Ｋ…仮想線、Ｑ…仮想線に直交する方向。
【図１】
2007113203.tif 000003
【図２】
2007113203.tif 000004
【図３】
2007113203.tif 000005
【図４】
2007113203.tif 000006
【図５】
2007113203.tif 000007
【図６】
2007113203.tif 000008
【手続補正書】
【提出日】平成17年11月16日(2005.11.16)
【手続補正１】
【補正対象書類名】図面
【補正対象項目名】図５
【補正方法】変更
【補正の内容】
【図５】
2007113203.tif 000009